(57)【要約】【課題】扉体の左右開閉方向の配置変更が可能となり、また複数のケージの左右上下の重合配置に際して安定性が得られるものとしたペット用ケージを提供する。【解決手段】箱形に成形したケージ本体１の正面開口部に固定する外枠固定部１１と、該外枠固定部１１にヒンジ部１４を介して開閉可能に取り付け且つ固定部材として固定用レバー１５を介して閉止固定可能とした扉体１２と、を化粧板にて形成し、該扉体には、透明板によって覆われた窓部１７を設けてなる。外枠固定部１１には、その裏面縁側に沿って嵌合溝１８を有し、ケージ本体１の正面開口部に突設したフランジ４を当該嵌合溝１８に嵌合してネジ固定可能とする。このとき、外枠固定部１１を上下逆にした状態で当該外枠固定部１１の嵌合溝１８に、ケージ本体１のフランジ４を嵌合可能とする。【選択図】図３
2009118767.tif 000002
【特許請求の範囲】
【請求項１】
箱形に成形されたケージ本体の正面開口部に固定される外枠固定部と、該外枠固定部にヒンジ部を介して開閉可能に取り付けられ且つ固定部材を介して閉止固定可能とした扉体と、を化粧板にて形成し、該扉体には、透明板によって覆われた窓部を設けてなることを特徴とするペット用ケージ。
【請求項２】
外枠固定部は、その裏面縁側に沿って嵌合溝を有し、ケージ本体の正面開口部に突設したフランジを当該嵌合溝に嵌合してネジ固定可能としてある請求項１記載のペット用ケージ。
【請求項３】
外枠固定部は、これを上下逆にした状態で当該外枠固定部の嵌合溝に、ケージ本体のフランジを嵌合可能としてある請求項２記載のペット用ケージ。
【請求項４】
外枠固定部と扉体との周囲には、エアー出入用の隙間を有している請求項１乃至３のいずれかに記載のペット用ケージ。
【請求項５】
外枠固定部の正面側角部には、点滴用チューブをケージ本体内部に引き込むための孔部を備えている請求項１乃至４のいずれかに記載のペット用ケージ。
【請求項６】
外枠固定部には、ヒンジ部の位置する正面縁側に、点滴装置を載せるための載置台を水平方向に回動自在となるように取り付けてある請求項１乃至５のいずれかに記載のペット用ケージ。
【請求項７】
ケージ本体の上面側には、上方に位置する他のケージ本体の下面を重ね合わせるための少なくとも左右一対の載架部を備えている請求項１乃至６のいずれかに記載のペット用ケージ。
【請求項８】
化粧板は、メラミン樹脂による表面加工を施したプラスチック素材によって形成してなる請求項１乃至７のいずれかに記載のペット用ケージ。
【発明の詳細な説明】
【技術分野】
【０００１】
本発明は、ペット入院用等に用いるペット用ケージに関する。
【背景技術】
【０００２】
従来、この種のペット用ケージとしては、枠内に複数の金属バーを格子状もしくはネット状に編組してなる扉体が、当該扉体の一端に取り付けられたヒンジ部を介して開閉可能に備えている。そして、ケージ自体は、単体で独立し、それぞれに取り付けたピン付結合用枠および前面の結合プレートにより相互が強固に結合する耐震構造になっている。また、これら各ケージの背部には、換気孔を設けることで、内部の汚れた空気を常時排出できるようにしてあり、これによって感染防止または臭気防止等の対策が採られている。
【０００３】
また、特許文献１に開示されているように、正面にステンレス製の矩形フレームを設けた犬舎本体の当該矩形フレームの開口部に、多数本のステンレス製のバーを縦格子状に編組してなる扉体を開閉自在に枢支し、扉体の開閉先端側に施錠金具のロック機構を備えた技術が存在する。
【特許文献１】実用新案登録第３０７６１９３号公報
【発明の開示】
【発明が解決しようとする課題】
【０００４】
ただ、ケージを置く位置によって扉体を左右どちらからでも開閉できるようにするのが好ましいのであるが、特許文献１を含む従来の扉体ではヒンジ部の取付位置を左右に交換することができないことから、このような扉体の開閉方向の変更が不可能となっている。つまり、これに対応するためには、扉体を別個に製作しなければならず経済性に欠けるものであった。
【０００５】
また、ケージ自体は、殆ど手作りによる部分が多いことから、量産性に欠け且つコスト高となる。また、複数個のケージを縦横に配置させるに際し、ケージ自体が多数本のステンレス製のバーを例えば縦格子状等に編組してなることから、縦方向への積載に対しては安定性に欠けたものとなる。しかも、扉体自体は、枠内に複数の金属バーを格子状もしくはネット状に編組してなることから、意匠性・趣向性が乏しいという問題点を有していた。
【０００６】
そこで、本発明は、叙上のような従来存した諸事情に鑑み案出されたもので、扉体の左右開閉方向の配置変更が可能となり、自動切断機等を使ったカット製作によって容易に製造でき、量産性が高く且つコストダウンにも繋がり、従来のように金属バーを編組してなるケージに比して組み付け精度が向上し、複数のケージの左右上下の重合配置に際して安定性が得られ、ケージの正面開口部に対する扉体の組み付けが効率良く行えるものとした意匠性・趣向性の高いペット用ケージを提供することを目的とする。
【課題を解決するための手段】
【０００７】
上述した課題を解決するため、本発明にあっては、箱形に成形されたケージ本体の正面開口部に固定される外枠固定部と、該外枠固定部にヒンジ部を介して開閉可能に取り付けられ且つ固定部材を介して閉止固定可能とした扉体と、を化粧板にて形成し、該扉体には、透明板によって覆われた窓部を設けてなることを特徴とする。
【０００８】
外枠固定部は、その裏面縁側に沿って嵌合溝を有し、ケージ本体の正面開口部に突設したフランジを当該嵌合溝に嵌合してネジ固定可能としてある。
【０００９】
外枠固定部は、これを上下逆にした状態で当該外枠固定部の嵌合溝に、ケージ本体のフランジを嵌合可能としてある。
【００１０】
外枠固定部と扉体との周囲には、エアー出入用の隙間を有している。
【００１１】
外枠固定部の正面側角部には、点滴用チューブをケージ本体内部に引き込むための孔部を備えている。
【００１２】
外枠固定部には、ヒンジ部の位置する正面縁側に、点滴装置を載せるための載置台を水平方向に回動自在となるように取り付けてある。
【００１３】
ケージ本体の上面側には、上方に位置する他のケージ本体の下面を重ね合わせるための少なくとも左右一対の載架部を備えている。
【００１４】
化粧板は、メラミン樹脂による表面加工を施したプラスチック素材によって形成してなる。
【発明の効果】
【００１５】
本発明によれば、扉体の左右開閉方向の配置変更が可能となり、自動切断機等を使ったカット製作によって容易に製造でき、量産性が高く且つコストダウンにも繋がり、従来のように金属バーを編組してなるケージに比して組み付け精度が向上し、複数のケージの左右上下の重合配置に際して安定性が得られ、ケージの正面開口部に対する扉体の組み付けが効率良く行える意匠性・趣向性の高いペット用ケージを提供することができる。
【００１６】
すなわち、箱形に成形されたケージ本体の正面開口部に固定される外枠固定部と、該外枠固定部にヒンジ部を介して開閉可能に取り付けられ且つ固定部材を介して閉止固定可能とした扉体と、を化粧板にて形成し、該扉体には、透明板によって覆われた窓部を設けてなるので、量産性が高く且つコストダウンにも繋がり、従来のように金属バーを編組してなるケージに比して組み付け精度が向上する。
【００１７】
外枠固定部は、その裏面縁側に沿って嵌合溝を有し、ケージ本体の正面開口部に突設したフランジを当該嵌合溝に嵌合してネジ固定可能としてあるので、自動切断機等を使ったカット製作によって化粧板を容易に製造でき、しかも量産性が高く且つコストダウンにも繋がる。
【００１８】
外枠固定部は、これを上下逆にした状態で当該外枠固定部の嵌合溝に、ケージ本体のフランジを嵌合可能としてあるので、扉体の左右開閉方向の配置変更が容易に行えることから、ケージを置く位置によって扉体を左右どちらからでも開閉できるように容易に構成することができる。したがって、従来の扉体と比して経済性が向上する。
【００１９】
外枠固定部と扉体との周囲には、エアー出入用の隙間を有しているので、酸素の欠乏を引き起すことがないのは勿論、感染防止または臭気防止等の対策が可能となる。
【００２０】
外枠固定部の正面側角部には、点滴用チューブをケージ本体内部に引き込むための孔部を備えているので、ケージ内部でのペットの治療が容易に行える。
【００２１】
外枠固定部には、ヒンジ部の位置する正面縁側に、点滴装置を載せるための載置台を水平方向に回動自在となるように取り付けてあるので、無駄なスペースをとらずに点滴装置を各ケージに設置することができることから、各ケージに対応した治療が容易に行える。
【００２２】
ケージ本体の上面側には、上方に位置する他のケージ本体の下面を重ね合わせるための少なくとも左右一対の載架部を備えているので、従来のように金属バーを編組してなるケージに比して組み付け精度が向上し、複数のケージの左右上下の重合配置に際して安定性が得られる。
【００２３】
化粧板は、メラミン樹脂による表面加工を施したプラスチック素材によって形成してなるので、汚れ難く衛生的な治療環境を保つことができる。しかも、化粧板自体が撥水性・耐摩耗性・耐衝撃性・耐熱性等を有することから、ペットの治療室として安心して使用することができ、しかも意匠性・趣向性・施工性の高いペット用ケージを提供することができる。また、化粧板の表面がメラミン樹脂なのでワックスがけの必要がなくメンテナンスが楽である。さらに、当該化粧板は、原材料の約６０％が紙であり、且つ有害な重金属類や発ガン性の高いアスベスト・ダイオキシンの原因となる塩素系物質を全く含んでいないことから、サーマルリサイクルが可能となり、環境に優しいペット用ケージを提供することができる。
【発明を実施するための最良の形態】
【００２４】
以下、図面を参照して本発明に係るペット用ケージを実施するための最良の一形態を詳細に説明する。
本発明に係るペット用ケージは、図１乃至図４に示すように、例えばステンレス製等の箱形状となったケージ本体１と、該ケージ本体１の正面開口部に装着される外枠固定部１１と、外枠固定部１１の中央に備えた扉体１２とを備え、外枠固定部１１および扉体１２を共に化粧板によって形成してある。
【００２５】
ケージ本体１は、この上面側に左右一対の凸条となった載架部２ａ、２ｂが例えばプレス成形等によって平行レール状に並設されており、上方に位置する他のケージ本体１の下面を重ね合わせたときの安定性を確保できるようにしてある。
【００２６】
そして、ケージ本体１の背面上部角縁部における左右の載架部２ａ、２ｂの間には、複数の通気孔３が並設されている。
【００２７】
また、図３乃至図図５（ａ）および図５（ｂ）に示すように、ケージ本体１の正面開口部における上下左右の縁端部には複数のネジ孔４ａを有する帯状のフランジ４がプレス成形等によって一体形成され、後述する外枠固定部１１の嵌合溝に嵌め込まれてネジ固定される。
【００２８】
化粧板は、図１の円形拡大部分に示すように、メラミン樹脂層Ｍによる表面加工を施したプラスチック素材Ｐによって形成されている。すなわち、この外枠固定部１１としては、例えば化粧紙にメラミン樹脂を含浸した化粧層とクラフト紙にフェノール樹脂を含浸したコアー層を積層し約１５０℃の高温と、約１００ｋｇの高圧で一体成型したプラスチック板による高圧メラミン樹脂化粧板が使用される。あるいは、他の化粧板として、例えばセラミック原料の水酸化アルミニウムをガラス繊維と熱硬化性樹脂で補強した基材層と表面・裏面のメラミン樹脂層を約１５０℃の高温、約１００ｋｇの高圧で一体成型したノンアスベストのセラミックパネルが使用される。しかしながら、本発明では、このようにして形成される化粧板に限定されるものでないことは勿論である。
【００２９】
図２に示すように、外枠固定部１１の中央には、例えば自動切断機等を使ったカット製作によって開口部１３が形成され、該開口部１３には、略矩形板状の扉体１２の一端側が上下一対のヒンジ部１４を介して開閉可能に取り付けられている。また、扉体１２の他端開放側には固定部材として周知の係止レバー構造による固定用レバー１５を介して閉止位置で固定できるようにしてある。このとき、扉体１２の他端開放側に対応する開口部１３の縁端には、扉体１２が閉塞したときにこれを係止させるための縦長の係止片１６が内側に向けて一体突設されている。また、扉体１２の中央には、合成樹脂からなる透明板によって覆われた例えば楕円形状の窓部１７が形成されていることで、ケージ本体１の内部を視認できるようにしてある。さらに、図１に示すように、扉体１２の周縁部と外枠固定部１１の開口部１３内周縁との間は若干の隙間Ｓが形成されており、該隙間Ｓによってケージ本体１内部のエアーの出入を可能にしている。尚、窓部１７の形状は、楕円形状の他に、例えば円形または矩形等であっても良い。
【００３０】
外枠固定部１１の裏面には、図５（ａ）および図５（ｂ）に示すように、縁側に沿って略環状となった嵌合溝１８を有しており、ケージ本体１の正面開口部に突設したフランジ４を当該嵌合溝１８に嵌合し、フランジ４のネジ孔４ａを介してネジ４ｂを外枠固定部１１にねじ込むことでケージ本体１と外枠固定部１１とが一体化されるようにしてある。このとき、外枠固定部１１は、嵌合溝１８が略環状であることから、図４に示すように、これを上下逆にした状態であっても当該外枠固定部１１の嵌合溝１８にケージ本体１のフランジ４が嵌合できることとなり、これにより、扉体１２の左右開閉方向の配置変更が容易に行える。
【００３１】
外枠固定部１１におけるヒンジ部１４の位置する正面縁側の中央には、図１および図２に示すように、点滴装置Ｑを載せるための載置台２１が水平方向に回動自在となるように取り付けてある。
【００３２】
すなわち、図３、図４、図６に示すように、ヒンジ状に折曲可能となるように形成されているブラケット２２の一端にＬ字状の取付片２３が形成され、該取付片２３を外枠固定部１１の正面縁側の中央にネジ固定してある。また、ブラケット２２の先端側には支持ボール２４が一体形成されており、該支持ポール２４の上端には円形状の台座２５が形成されている。そして、台座２５の上面中央には、小径円形状の突起２６が形成され、該突起２６の上面中央には長尺なＬ字状の支持棒２７の一端が差込固定されている。また、載置台２１の一端側には、中央端部から切り込んだスリット２８を介して嵌合孔２９が形成されており、載置台２１を台座２５に取り付ける際には、該スリット２８を介して支持棒２７が嵌合孔２９内側に通された後、嵌合孔２９に台座２５上の突起２６が嵌着されることで載置台２１が台座２５に固定される。
【００３３】
そして、図１および図２に示すように、載置台２１にはポンプ内蔵の点滴装置Ｑが載せられ、該点滴装置Ｑは載置台２１の中央面に形成されているビス孔３０を介してビス止めされる。また、支持棒２７先端のフック部分には、点滴容器Ｒが吊り下げられ、点滴容器Ｒ下端に接続した点滴用チューブＴが点滴装置Ｑを経由して外方に延長されている。この点滴用チューブＴは、外枠固定部１１の正面側角部に形成した三角形状の孔部３２を介してケージ本体１内部に引き込ませてある。尚、この孔部３２は四角形あるいは円形等であっても良い。こうして、載置台２１に載せられている点滴装置Ｑは、図７に示すように、ブラケット２２の左右方向への回動により、扉体１２の前方位置もしくは扉体１２の外側位置等に自在に移動できる。
【００３４】
次に、以上のように構成された本発明ペット用ケージの最良の形態についての組立、使用の一例について詳細に説明する。
ケージ本体１の載架部２ａ、２ｂおよびフランジ４が例えばプレス成形等によって形成され、ケージ本体１の背面上部角縁部における左右の載架部２ａ、２ｂの間には、複数の通気孔３が穿設される。また、外枠固定部１１が、メラミン樹脂層Ｍによる表面装飾加工を施したプラスチック素材Ｐによって形成される。
【００３５】
そして、外枠固定部１１には、例えば自動切断機等を使ったカット製作によって、中央の開口部１３、裏面の嵌合溝１８、角部の孔部３２それぞれが形成される。開口部１３には、扉体１２の一端側が上下一対のヒンジ部１４を介して開閉可能に取り付けられる。また、扉体１２の他端開放側には固定部材として周知の構成である固定用レバー１５が取り付けられる。このとき、扉体１２の他端開放側に対応する開口部１３の縁端には、扉体１２が閉塞したときにこれを係止させるための縦長の係止片１６が内側に向けて一体突設され、また図１に示すように、扉体１２の周縁部と外枠固定部１１の開口部１３内周縁との間は若干の隙間Ｓが形成される。さらに、扉体１２の中央には、合成樹脂からなる透明板によって覆われた内部透視用の窓部１７が形成される。
【００３６】
ケージ本体１への外枠固定部１１の組み付けに際し、図５（ａ）および図５（ｂ）に示すように、ケージ本体１の正面開口部に突設したフランジ４を外枠固定部１１の嵌合溝１８に嵌合し、フランジ４のネジ孔４ａを介してネジ４ｂを外枠固定部１１にねじ込み固定する。そして、必要に応じてケージ本体を縦横方向に重合させるようにして設置する。このとき、ケージ本体１の上面側の載架部２ａ、２ｂを介して、他のケージ本体１を載せる。
【００３７】
また、ケージ本体１同士の重合配置条件によって、扉体１２の左右開閉方向の配置の変更が必要である場合には、図４に示すように、これを上下逆にした状態にして当該外枠固定部１１の嵌合溝１８にケージ本体１のフランジ４を嵌合し、フランジ４のネジ孔４ａを介してネジ４ｂを外枠固定部１１にねじ込む。
【００３８】
図３、図４、図６に示すように、ブラケット２２の一端の取付片２３を外枠固定部１１の正面縁側の中央にネジ固定し、ブラケット２２の先端側に一体形成されている支持ボール２４の上端の台座２５に載置台２１をセットする。このとき、スリット２８を介して支持棒２７を嵌合孔２９内側に通した後、嵌合孔２９に台座２５上の突起２６を嵌着させることで載置台２１自体は台座２５に固定される。
【００３９】
載置台２１上には、ポンプ内蔵の点滴装置Ｑが載せられ、該点滴装置Ｑは載置台２１の中央面に形成されているビス孔３０を介してビス止めされる。また、支持棒２７先端のフック部分に、点滴容器Ｒを吊り下げ、点滴容器Ｒ下端に接続した点滴用チューブＴを点滴装置Ｑを経由させてから外方に延長しておく。このとき、図１または図２に示すように、点滴用チューブＴは、外枠固定部１１の孔部３２を介してケージ本体１内部に引き込ませておく。
【００４０】
図７に示すように、扉体１２を開ける際には、載置台２１に載せられている点滴装置Ｑは、ブラケット２２の回動により、扉体１２の外側位置に移動させる。扉体１２を閉めた時には、ブラケット２２の反対側への回動により、扉体１２の前方位置に移動させておく。
【図面の簡単な説明】
【００４１】
【図１】本発明を実施するための最良の形態におけるペット用ケージの全体斜視図である。
【図２】同じく扉体を開けた状態の全体斜視図である。
【図３】同じくケージ本体に外枠固定部を取り付ける状態の分解斜視図である。
【図４】同じくケージ本体に対し外枠固定部を上下逆にして取り付ける状態の分解斜視図である。
【図５】同じくケージ本体と外枠固定部との組み付け構造の一例を示し、（ａ）は組み付け前の状態を斜め背面側から見た一部省略斜視図、（ｂ）は組み付け後の状態を斜め背面側から見た一部省略斜視図である。
【図６】同じく点滴装置を載せるための載置台の外枠固定部への取り付け例を示す斜視図である。
【図７】同じく点滴装置を載せるための載置台を外枠固定部に取り付けた状態の平面図である。
【符号の説明】
【００４２】
Ｐ          プラスチック素材
Ｍ          メラミン樹脂層
Ｑ          点滴装置
Ｔ          点滴用チューブ
Ｓ          隙間
Ｒ          点滴容器
１          ケージ本体
２ａ、２ｂ  載架部
３          通気孔
４          フランジ
４ａ        ネジ孔
４ｂ        ネジ
１１        外枠固定部
１２        扉体
１３        開口部
１４        ヒンジ部
１５        固定用レバー
１６        係止片
１７        窓部
１８        嵌合溝
２１        載置台
２２        ブラケット
２３        取付片
２４        支持ボール
２５        台座
２６        突起
２７        支持棒
２８        スリット
２９        嵌合孔
３０        ビス孔
３２        孔部
【図１】
2009118767.tif 000003
【図２】
2009118767.tif 000004
【図３】
2009118767.tif 000005
【図４】
2009118767.tif 000006
【図５】
2009118767.tif 000007
【図６】
2009118767.tif 000008
【図７】
2009118767.tif 000009